Podtech/llm-jp-corpus-v4-ja_patent huggingface dataset:
(57)【要約】【課題】名刺やカードを簡単に収納、取り出しが出来る両開きカード入れを提供する。【解決手段】図１、主体（１）主体（２）と、名刺等のカード類を挟んで収納するための帯（３）帯（４）帯（５）が設けられている。主体（１）と主体（２）は、直接繋がらず、帯状のパーツ（３）（４）（５）で繋がっている。帯状のパーツ（３）は、主体（１）の（６）部分と、主体（２）の（７）部分に繋がっている。帯状のパーツ（４）は、主体（２）の（８）部分と、主体（１）の（９）部分に繋がっている。帯状のパーツ（５）は、主体（２）の（１０）部分と、主体（１）の（１１）部分に繋がっている。【選択図】図１
2004180884.tif 000002
【特許請求の範囲】
【請求項１】
主体（１）と主体（２）が直接繋がっていないために、図２（７）（９）（１１）を軸に一方から開けられる事が出来ると共に、図３（６）（８）（１０）を軸に他方から開けることができる両開き構造の名刺等のカード入れ。
【請求項２】
主体とパーツ（３）で挟んで名刺やカードを収納する収納面と、主体とパーツ（４）（５）で挟んで名刺やカードをスライドして出す取り出し面を分けた構造の請求項１に記載の名刺等のカード入れ。
【請求項３】
一方を開けた時に収納面にある名刺やカードは、他方を開ける事によって取り出し面に移り、他方を開いて取り出し面にある名刺やカードは、一方を開けることにより収納面に移る、からくり的構造の請求項１に記載の名刺等のカード入れ。
【発明の詳細な説明】
【０００１】
【発明の属する技術分野】
本発明は、名刺等のカード入れに係り、名刺やカードを取り出し易く、収納し易くした構造に関する。
【０００２】
【従来の技術】
従来の名刺等のカード入れは、名刺やカードを入れる収納部分と、この収納部の開口部を覆うカバーを有して二つ折りしてなり、片側からのみの開閉であり、また定期券やプリペイドカードは、カード入れに指の入る穴を開け、そこから指でカードをスライドさせて出すという方法が取られている。
【０００３】
【発明が解決しようとする課題】
解決しようとする問題点は、名刺等のカード入れのカバーを開いて収納部から名刺等のカードを取り出すが、片側からの開閉であったため取り出し難く、収納し難いという点である。
【０００４】
定期券やプリペイドカードは、カード入れに穴を開け、指でスライドさせてカードを出すという方法が取られているが、そのいずれもが面白みに欠けていた点である。
【０００５】
【課題を解決するための手段】
上記の目標を達成するために、本発明の名刺等のカード入れにおいては、収納部と取出し部を分け、それぞれの主体を別の帯状のパーツで繋げ二つ折りにし、両開きすることを最も主要な特徴とする。
【０００６】
【発明の実施の形態】
発明の実施の形態を実施例にもとづき図面を参照して説明する。
【実施例】
【０００７】
図１は、名刺等のカード入れを開けた状態で、主体（１）主体（２）と、名刺等のカードを挟んで収納するための帯（３）（４）（５）が設けられている。
【０００８】
主体（１）（２）は、皮革、合成皮革、布、ビニール、プラスチック、金属等を用いるが、皮革や布など柔らかい素材の場合は、主体（１）主体（２）の中に芯として厚紙やプラスッチク等の芯を入れ補強する。
【０００９】
帯状のパーツ（３）（４）（５）は，皮革、合成皮革、布、ビニール、ゴムテープ、リボン等を用いる。
【００１０】
主体（１）と主体（２）は、直接繋がらず、帯状のパーツ（３）（４）（５）で繋がっている。
【００１１】
帯状のパーツ（３）は、主体（１）の（６）部分と、主体（２）の（７）部分に繋がっている。
【００１２】
帯状のパーツ（４）は、主体（２）の（８）部分と、主体（１）の（９）部分に繋がっている。
【００１３】
帯状のパーツ（５）は、主体（２）の（１０）部分と、主体（１）の（１１）部分に繋がっている。
【００１４】
【発明の効果】
本発明は、上記に説明したような構成により次の効果を奏する。
【００１５】
図１の帯（３）（４）（５）の主体（１）（２）に繋がる構造により、図２の主体と帯の繋ぎ位置（７）（９）（１１）を軸に一方から開ける事ができると共に、図３の主体と帯の繋ぎ位置（６）（８）（１０）を軸に他方から開けることも出きる、両開きの構造になる。
【００１６】
図２の帯（３）に挟まれた名刺等のカード（１２）側を、カードの収納面とする。
【００１７】
図３の帯（４）（５）に挟まれた名刺等のカード（１２）側を、カードの取り出し面とする。
【００１８】
図４の一方を開いて収納面である帯状のパーツ（３）に挟まれている名刺等のカード（１２）は、図５の（７）（９）（１１）を軸に一方を閉じ、図６の用に一旦閉じ、図７一方側の（６）（８）（１０）を軸に他方から開ける事によって名刺等のカード（１２）は、帯状のパーツ（４）（５）に挟まれ、  図８の用に取り出し面に移る。
【００１９】
取り出し面に有る名刺等のカードを収納面に移す時は、この操作の逆を行う。
【００２０】
名刺等のカードを取り出す際は、図９のように取り出し面である帯（４）（５）に挟まれている状態で指（１３）でスライドさせて名刺等カード（１２）を出す。
【００２１】
名刺等のカードを収納する際は、図１０のように収納面である帯（３）に名刺等カード（１２）をスライドさせ挟みこむ。
【図面の簡単な説明】
【図１】本発明の名刺等のカード入れを開けた斜視図である。
【図２】本発明の名刺等のカード入れを一方より開けた斜視図である。
【図３】本発明の名刺等のカード入れを他方より開けた斜視図である。
【図４】本発明の名刺等のカード入れを一方側から開いた状態の斜視図である。
【図５】本発明の名刺等のカード入れを一方側を閉じる斜視図である。
【図６】本発明の名刺等のカード入れを閉じた状態の斜視図である。
【図７】本発明の名刺等のカード入れの他方側を開けた斜視図である。
【図８】本発明の名刺等のカード入れを他方側を開いた状態の斜視図である。
【図９】本発明の名刺等のカード入れからカードを取り出す平面図である。
【図１０】本発明の名刺等のカード入れにカードを収納する平面図である。
【符号の説明】
１  名刺等のカード入れ主体
２  名刺等のカード入れ主体
３  名刺等のカードを挟む収納面の帯
４  名刺等のカードを挟む取り出し面の帯
５  名刺等のカードを挟む取り出し面の帯
６  帯（３）と主体（１）の繋ぎ位置
７  帯（３）と主体（２）の繋ぎ位置
８  帯（４）と主体（２）の繋ぎ位置
９  帯（４）と主体（１）の繋ぎ位置
１０  帯（５）と主体（２）の繋ぎ位置
１１  帯（５）と主体（１）の繋ぎ位置
１２  名刺等のカード
１３  指
【図１】
2004180884.tif 000003
【図２】
2004180884.tif 000004
【図３】
2004180884.tif 000005
【図４】
2004180884.tif 000006
【図５】
2004180884.tif 000007
【図６】
2004180884.tif 000008
【図７】
2004180884.tif 000009
【図８】
2004180884.tif 000010
【図９】
2004180884.tif 000011
【図１０】
2004180884.tif 000012
(57)【要約】【課題】美麗に盛り付けられた食材をそのまま迅速且つ簡単に他の食器に移し変えることができるようにし、もって外食産業に於ける料理の品質を高めながらも、人件費を含むコストを最低限に抑制することにある。【解決手段】皿体１を反転変形自在な逆錐形皿状に構成し、スライス状となった刺身、調理済食肉等の食材２を放射状に羅列収納する。或いは、皿体１を反転変形自在な逆錐形皿状で、放射状に襞状の段差３を形成した構成とし、スライス状となった刺身、調理済食肉等の食材２を段差３に沿って放射状に羅列収納する。【選択図】        図１
2004180810.tif 000002
【特許請求の範囲】
【請求項１】
反転変形自在な逆錐形皿状に構成し、スライス状となった刺身、調理済食肉等の食材を放射状に羅列収納することを特徴とする皿体。
【請求項２】
反転変形自在な逆錐形皿状で、放射状に襞状の段差を形成した構成とし、スライス状となった刺身、調理済食肉等の食材を前記段差に沿って放射状に羅列収納することを特徴とする皿体。
【発明の詳細な説明】
【０００１】
【産業上の利用分野】
この発明は、食材を収納保持するための皿体に関するものである。
【０００２】
【従来の技術】
所謂外食産業業界にあっては、来店する顧客の注文品を如何に効率良く迅速に提供することができるかが大きな課題である。最終的にはこの課題が解決できれば、順調に利益を上げることができるものとして期待できる。即ち、低コストによる高利潤の追及である。
【０００３】
処が食品を扱うものであるから、先ず衛生面が万全であること、味・色を含めた品質を十分に確保できること、料理としての外観体裁が良いこと、調理人によって料理の出来具合に変動がなく均一性があること、等が具体的に要求せられ、これらの要請に応えようとすると、熟練した職人を揃え、食材の仕出しに手間暇をかけざるを得ない。
【０００４】
【発明が解決しようとする課題】
例えば一つの料理品として「鉄火丼」を挙げるなら、この調理の最もシンプルな形態は、丼に酢飯を盛り、まぐろの刺身を数切れ放射状に並べ、裁断した焼き海苔をふりかけるだけである。
【０００５】
しかしながらこれだけの作業であっても、その仕出し段階では、まぐろの刺身をコストに対応させて如何に外観体裁良く切ることができるか、そしてこの数切れの刺身を如何に美味そうに並べることができるか、等も商品価値を高めるのに極めて重要な要素である。
【０００６】
まぐろの肉塊を刺身に処理するのは、例えば昼食時等の繁忙時間前に仕込んでおくことも可能であるが、酢飯を盛ったりその上に刺身の切り身を並べたりする盛り付け作業は、注文を受けてから行わなければ色や味を含む品質が落ちてしまう。
【０００７】
また、刺身としての処理もできる限り食する直前が望ましいのであるが、時間的な制約があり、料理人の所謂腕によっても出来栄えの差が顕著である。
【０００８】
そこで、熟練料理人による処理の施された食材を皿に予め外観体裁良く盛り付けておき、或る程度の期間、衛生的に、味や色の品質を維持したまま保持し、客への提供直前に、所定の食器にそのまま移し変えることができることができるようにすることが望ましい。
【０００９】
よって本発明は、上述した従来技術の不満点を解決し、要請に応えるべく開発されたもので、保存可能で、美麗に盛り付けられた食材をそのまま迅速且つ簡単に他の食器に移し変えることができるようにすることを技術的課題とし、もって外食産業に於ける料理の品質を高めながらも、人件費を含むコストを最低限に抑制することができるようにすることを目的とする。
【００１０】
【課題を解決するための手段】
上記課題を解決するため本発明の皿体は、反転変形自在な逆錐形皿状に構成し、スライス状となった刺身、調理済食肉等の食材を放射状に羅列収納することを特徴とするものである。
【００１１】
或いは、反転変形自在な逆錐形皿状で、放射状に襞状の段差を形成した構成とし、スライス状となった刺身、調理済食肉等の食材を前記段差に沿って放射状に羅列収納することを特徴とする構成である。
【００１２】
【発明の実施の形態】
図面で、皿体１は逆円錐皿形状であって、肉薄な合成樹脂製、或いは表面に撥水加工を施した紙製であり、容易に反転変形が自在なものになっている。尚、図示実施例での皿体１は円板であるが、多角形状であっても良い。
【００１３】
そしてこの皿体１内に、スライス状となった刺身、調理済食肉等の食材２を隣り合う同士が多少重なるようにして放射状に羅列収納し、保存するのである。
【００１４】
そこで客の注文があったならば、例えば丼に盛られた飯の上に上記皿体１を逆さにして食材２と共に素早く伏せ、皿体１の中心部を押して皿体１を反転させる。
【００１５】
これにより、皿体１に盛り付けられていた食材２は、放射状の羅列状態を維持したまま丼の飯の上に移し変えられ、美麗に盛り付けられた形態となる。
【００１６】
それ故、比較的余裕のある時間帯に刺身としてスライス処理したり食肉を調理し、その食材２を皿体１に上述の如く盛り付けて保存待機させておけば、客の注文に直ちに対処できることになる。
【００１７】
処で、特にまぐろ等の遠洋漁業では、水揚げした魚をできるだけ早期に解体処理し、冷凍保存しておくことが望まれる。そして上記したような本発明の場合も、遠洋の現地で刺身にまで食材２として加工処理し、更に皿体１に盛り付けし、ラッピングを施して冷凍処理をしてしまえば、極めて簡便である。特にコストの面では、現地処理の方が数段の利点がある。勿論、国内への搬入後しかるべき処理施設で、同様の加工を施しても良い。
【００１８】
但し、上記したラッピング処理は真空吸引によって行うので、刺身食材２には、シートがぴったりと張り付いて且つ皿体１に強く押し付けられた形態となり、特に食材２同士が重なる相互の端部が崩れて変形してしまって、解凍しても美麗な盛り付け形態が再現されない不満点が残った。
【００１９】
そこで上記発明に更に改良を重ねたのが図２に示す発明で、皿体１を放射状に襞状の段差３を形成した構成とし、食材２をこの段差３に沿って形成される傾斜した平坦面４部分に放射状に羅列収納するのである。
【００２０】
段差３は食材２の肉厚ほどの高さ幅があり、従って食材２を段差３間の平坦面４にぴったりと乗載させることができ、ラップを覆って真空吸引しても、隣合う食材２同士が重なっていないので、型崩れしてしまうことはない。
【００２１】
【発明の効果】
本発明にかかる皿体は上述した構成となっているので、美麗に盛り付けられた食材をそのまま迅速且つ簡単に他の食器に衛生的に移し変えることができ、そのため盛り付けに熟練を要さず、主として外食産業に於ける料理の品質を高めることができ、人件費を含むコストを最低限に抑制することができる等、多くの優れた作用効果を奏する。
【図面の簡単な説明】
【図１】本発明の実施例を示す断面説明図である。
【図２】本発明の他の実施例を示す断面説明図である。
【符号の説明】
１；皿体、２；食材、３；段差、４；平坦面。
【図１】
2004180810.tif 000003
【図２】
2004180810.tif 000004
(57)【要約】【課題】従来の孫の手では、この引っかき部が薄く曲げられているので、この引っかき部で背中をこすった場合、背中に傷が付く場合があるという問題があった。【解決手段】ケース１の端部に超音波振動子２が装着され、この超音波振動子２の先端にホーン２ａが設けられ、このホーン２ａは中間部分で所望の角度で折り曲げられて、その先端に接触部２ｂが設けられ、又、ケース１の内部に発信器３及び電池４が内蔵され、さらに、ケース１の他端に棒状部材５が装着されており、又、棒状部材５の端部に把持部が装着され、この把持部に押しボタン式のスイッチが装着されている。【選択図】        図１
2004180802.tif 000002
【特許請求の範囲】
【請求項１】
超音波振動子をケースの一端に装着し、該超音波振動子の先端に設けたホーン部をその中間位置で所望の角度に折り曲げて接触部を構成し、該ケースの内部に発振器及び電池を内蔵させ、前記ケースの他端に把持部を設けたことを特徴とする超音波孫の手。
【請求項２】
前記超音波振動子のホーンの先端の接触部を幅広くしたことを特徴とする請求項１記載の超音波孫の手。
【請求項３】
把持部に電源スイッチを配置することを特徴とする請求項１又は２記載の超音波孫の手。
【発明の詳細な説明】
【０００１】
【発明が属する技術分野】
本発明は、超音波振動子に設けたホーンの折り曲げた先端によって皮膚をこするようにした超音波孫の手に関するものである。
【０００２】
【従来の技術】
従来、孫の手は、長い竹や木の一端を薄く削り、この薄く削った部分を折り曲げて引っかき部を構成し、他方の端部の把持部を持って、引っかき部を背中のかゆい部分に当ててかくことにより、かゆみを取るようにしている。
【０００３】
【発明が解決しようとする課題】
しかしながら、この従来の孫の手では、この引っかき部が薄く曲げられているので、この引っかき部で背中をこすった場合、背中に傷が付く場合があるという問題があった。
【０００４】
【課題を解決しようとする手段】
本発明は、超音波振動子をケースの一端に装着し、該超音波振動子の先端に設けたホーン部をその中間位置で所望の角度に折り曲げて接触部を構成し、該ケースの内部に発振器及び電池を内蔵させ、前記ケースの他端に把持部を設けたものであり、又、前記超音波振動子のホーンの先端を薄く広くしたものであり、さらに、把持部に電源スイッチを配置するものである。
【０００５】
【発明の実施の形態】
本発明では、ケースの一端に超音波振動子を装着し、この超音波振動子の先端に設けたホーン部の中間不部分を折り曲げてその先端に接触部を構成することにより、超音波振動子を振動させ、ケースの他端に設けた把持部を持って接触部を背中に押し当てると、ホーンの振動によって、ホーンで背中を強くこすることなくかくことができ、かゆみがなくなり、血行がよくなるので肌を傷つけることがない。
【０００６】
【実施例】
図１は本発明の実施例の超音波孫の手の構成図で、ケース１の端部に超音波振動子２が装着され、この超音波振動子２の先端にホーン２ａが設けられ、このホーン２ａは中間部分で所望の角度で折り曲げられて、その先端に接触部２ｂが設けられ、又、ケース１の内部に発信器３及び電池４が内蔵され、さらに、ケース１の他端に棒状部材５が装着されており、又、図２に示すように、棒状部材５の端部に把持部６が装着され、この把持部６に押しボタン式のスイッチ７が装着されている。
【０００７】
このように構成された本実施例の超音波孫の手は、スイッチ７を押して発振器３を駆動し、この発振器３からの出力で超音波振動子２を振動させ、ケース１の他端の棒状部材５の端部に装着された把持部６を持って接触部２ｂを背中の肌に接触すると、接触部２ｂで肌を強くこすることなくかくことができ、かゆみがなくなり、血行がよくなるので、肌を傷付けることがなく、又、かゆい部分がなくなると、スイッチ７から指を離すことによって、発振器３は停止する。
【０００８】
図３は本発明の他の実施例の超音波孫の手の構成図で、１はケース、２は超音波振動子、３は発振器、４は電池、５は棒状部材、６は把持部で、これらの構成は上記実施例と同じであるので説明は省略するが、本実施例では、超音波振動子２のホーン２ａの先端の接触部２ｂを幅広く構成し、又、図４に示すように、スイッチとして切り替え式のスイッチ８を把持部６に装着している。
【０００９】
本実施例は、このように構成することにより、スイッチ８を押して指を離しても発振器３が駆動され、発振器３からの発振出力で超音波振動子２が駆動され、超音波振動子２のホーン２ａの幅広い接触部２ｂを背中のかゆい部分に押し当てると、かゆい部分が広くても、すぐに血行がよくなり、ホーン２ａの接触部２ｂを肌に引っかけて傷つけることがなく、又、かゆい部分がなくなると、スイッチ８を切り替えて発振器３を停止する。
【００１０】
なお、上記実施例では、スイッチ７、８は把持部６に装着したが、ケース１に装着してもよいし、図２のスイッチ７を図３の孫の手に装着してもよいし、図４のスイッチ８を図１の孫の手に装着してもよい。
【００１１】
【発明の効果】
以上説明したように、本発明の超音波孫の手では、ケースの一端に超音波振動子を装着し、この超音波振動子の先端に設けたホーン部の中間部分を折り曲げてその先端に接触部を構成することにより、超音波振動子を振動させ、ケースの他端に設けた把持部を持って接触部を背中に押し当てると、ホーンの振動によって、ホーンを背中に強く押し当てなくてもかゆみがなくなり、血行がより。肌を傷つけることがないという利点がある。
【図面の簡単な説明】
【図１】本発明の実施例の超音波孫の手の構成図である。
【図２】図１の超音波孫の手の側面図である。
【図３】本発明の他の実施例の超音波孫の手の構成図である。
【図４】図３の超音波孫の手の側面図である。
【符号の説明】
１              ケース
２              超音波振動子
２ａ            ホーン
２ｂ            接触部
３              発振器
４              電池
５              棒状部材
６              把持部
７、８          スイッチ
【図１】
2004180802.tif 000003
【図２】
2004180802.tif 000004
【図３】
2004180802.tif 000005
【図４】
2004180802.tif 000006
(57)【要約】【課題】菓子等を食するときに食べかけの状態で菓子袋をしまう際、その都度輪ゴムやテープで袋を閉じなければならず不便である。【解決手段】菓子つまみに袋を閉じる機能を設け、食べかけの菓子袋を簡単に閉じられるようにする。【選択図】          図１
2004180815.tif 000002
【特許請求の範囲】
【請求項１】
菓子等を食した後、菓子つまみを変形させ菓子袋を閉じるストッパーにもなる菓子つまみ。
【発明の詳細な説明】
【０００１】
【発明が属する技術分野】
この発明は、菓子等を食するときに用いる菓子つまみに関するものである。
【０００２】
【従来の技術】
従来は、袋を閉じる機能がついた菓子つまみはなかった。
【０００３】
【発明が解決しようとする課題】
菓子等を食するときに食べかけの状態で菓子袋をしまう際、その都度輪ゴムやテープで袋を閉じなければならず不便であった。そこで、この発明はこれらの道具を使わずに菓子袋を閉じることが可能な菓子つまみを提供することを課題とする。
【０００４】
【課題を解決するための手段】
以上の課題を解決するために、この発明は菓子つまみ本体に自在に曲がる針金を用いることにした。菓子袋を閉じる際は、菓子つまみ本体を折り曲げてストッパーにできることを特徴とする。
【０００５】
【発明の実施の形態】
この発明の実施の形態を、図１に示す。
菓子つまみの本体１はビニルチューブ製であり、この本体１の中には、自在に曲がる針金２が入っている。本体１の両先端部分には針金の突出をおさえ、菓子をつまむへら３が取り付けられている。
【０００６】
【実施例】
この発明の実施例を、図２に示す。
袋を閉じる際は、菓子袋４の上端部分に菓子つまみ本体１を半ばまで入れ、そのまま菓子袋を数回折り曲げる。その後、菓子つまみ本体１を菓子袋を挟みこむように半ばから折り曲げて袋を閉じる。
【０００７】
【発明の効果】
以上説明したように、この発明によれば菓子つまみに袋を閉じる機能を設けたので、輪ゴムやテープを使わずに食べかけの菓子袋を簡単に閉じることができる。
【０００８】
また、菓子を食べるときは菓子つまみ本体１の袋を閉じていたときに袋から出ていた部分を持つことで、手を汚さずに菓子を食べることができる。
【図面の簡単な説明】
【図１】本発明の正面図である。
【図２】本発明の使用状態を示す図である。
【符号の説明】
１  菓子つまみ本体
２  針金
３  へら
４  菓子袋
【図１】
2004180815.tif 000003
【図２】
2004180815.tif 000004
(57)【要約】【課題】病院等で使用する薬の薬臭が院内に漂うのを効果的に防止するようにした薬臭脱臭装置を提供する。【解決手段】上面１２ａが通気性の気密容器１２と、該気密容器１２に接続され、該気密容器の上面周囲の空気を吸引・排出する空気吸引装置１６と、吸引された空気中の臭いを脱臭する脱臭装置１５とから成る。気密容器１２の上面１２ａに置かれた薬液ビン１１から発せられる臭いを空気吸引装置１６にて吸引し、脱臭装置１５により脱臭して、院外に排出する。【選択図】        図１
2004180813.tif 000002
【特許請求の範囲】
【請求項１】
上面が通気性の気密容器と、該気密容器に接続され、該気密容器の上面周囲の空気を吸引・排出する空気吸引装置と、吸引された空気中の臭いを脱臭する脱臭装置とから成り、前記気密容器の上面に置かれた薬品から発せられる臭いを吸引，脱臭するようにしたことを特徴とする薬臭脱臭装置。
【請求項２】
前記気密容器から吸引・排出される空気の流量を調整する風量調整手段を有することを特徴とする請求項１に記載の薬臭脱臭装置。
【請求項３】
歯科用ワークテーブルに一体的に取り付けられた薬品臭脱臭装置であって、該脱臭装置は、上面が通気性の薬品載置板で構成された気密性の筐体と、該筐体の上面周囲の空気を前記通気性の薬品載置板を通して吸引・排出する空気吸引装置とから成り、前記薬品載置板上に置かれた薬品から発せられた臭いを吸引・排出するようにしたことを特徴とする薬品臭脱臭装置。
【請求項４】
前記空気吸引装置は、歯科治療に用いるバキューム装置と共用の空気吸引装置であることを特徴とする請求項３に記載の薬品臭脱臭装置。
【請求項５】
前記筐体から吸引された空気中の臭いを脱臭する脱臭装置を有することを特徴とする請求項３又は４に記載の脱臭装置。
【発明の詳細な説明】
【０００１】
【発明の属する技術分野】
本発明は、薬品臭脱臭装置、より詳細には、例えば、歯科医院等において、ワークテーブルに置かれる薬品から発生される薬品臭を吸引・排出するようにした薬品臭脱臭装置に関する。
【０００２】
【従来の技術】
図３は、本発明が適用される一例としての歯科治療ユニットの概略構成を示す全体構成図で、該歯科治療ユニットは、治療椅子１，ワークテーブル２，スピットン３，無影灯４，インスツルメントホルダー５，フットコントローラ６，アシスタント用インスツルメントホルダー７等から成り、インスツルメントホルダー５には、歯科治療において使用する種々のインスツルメント８が収納されており、周知のように、歯科治療に当り、患者は歯科治療椅子１に座り、頭を安頭台９に固定し、一般的には、腕を肘受け１０に乗せて治療を受ける。治療中、術者は治療椅子１を上下動，起倒，傾斜動倒させて、患者を治療しやすい姿勢にして治療を行う。
【０００３】
【発明が解決しようとする課題】
ワークテーブル２上には、歯科治療に必要なピンセット等各種治療器具、ガーゼ等の治療材、及び、各種薬液ビン等が置かれているが、薬液ビンから薬液臭が発生し、院内に薬液臭が漂い、室内環境を悪くしていた。
【０００４】
本発明は、上述のごとき実情に鑑みてなされたもので、特に、歯科医院に限定されるものではなく、通常の病院等も適用できるものであるが、病院で使用する薬の薬臭が院内に漂うのを効果的に防止するようにした薬臭脱臭装置を提供することを目的としてなされたものである。
【０００５】
【課題を解決するための手段】
請求項１の発明は、上面が通気性の気密容器と、該気密容器に接続され、該気密容器の上面周囲の空気を吸引・排出する空気吸引装置と、吸引された空気中の臭いを脱臭する脱臭装置とから成り、前記気密容器の上面に置かれた薬品から発せられる臭いを吸引，脱臭するようにしたことを特徴としたものである。
【０００６】
請求項２の発明は、請求項１の発明において、前記気密容器から吸引・排出される空気の流量を調整する風量調整手段を有することを特徴としたものである。
【０００７】
請求項３の発明は、歯科用ワークテーブルに一体的に取り付けられた薬品臭脱臭装置であって、該脱臭装置は、上面が通気性の薬品載置板で構成された気密性の筐体と、該筐体の上面周囲の空気を前記通気性の薬品載置板を通して吸引・排出する空気吸引装置とから成り、前記薬品載置板上に置かれた薬品から発せられた臭いを吸引・排出するようにしたことを特徴としたものである。
【０００８】
請求項４の発明は、請求項３の発明において、前記空気吸引装置は、歯科治療に用いるバキューム装置と共用の空気吸引装置であることを特徴としたものである。
【０００９】
請求項５の発明は、請求項３又は４の発明において、前記筐体から吸引された空気中の臭いを脱臭する脱臭装置を有することを特徴としたものである。
【００１０】
【発明の実施の形態】
図１は、本発明による薬臭脱臭装置の一例を説明するための要部構成図で、図中、１１は薬液ビン、１２は該薬液ビン１１を載せる容器で、該容器１２の上面板１２ａは通気性の部材、例えば、多数の孔を有するメッシュ板等で構成され、該上面板１２ａの下部の容器は気密構造となっており、前記上面板１２ａの上に薬液ビン１１等が置かれるようになっている。
【００１１】
気密容器１２には、該気密容器１２の通気性上面板（メッシュ板）１２ａ上に置かれた薬液ビン１１の周辺の空気を該上面板１２ａの通気孔を通して吸引・排気するための吸気管１３が接続されており、該吸気管１３には、必要に応じて、空気流量調整装置１４、脱臭装置（例えば、オゾン脱臭装置）１５、吸気装置（バキュームブロアー）１６等が接続されており、該吸気装置１６によって、薬液ビン１１の近傍の薬臭のついた空気を吸引、脱臭して排気する。なお、図１は、本発明を歯科医院に適用した場合を想定しており、そのため、吸気装置１６は、歯科治療に用いるバキューム管用の吸気装置と共用するようにしている。
【００１２】
図２は、本発明による薬臭脱臭装置の薬液ビン載置用容器１２を歯科治療ユニットのワークテーブルに取り付けた場合の一例を示す概略図で、例えば、図示のように、図１に示したワークテーブル２の側部に薬液ビン載置用の容器１２が一体的に取り付けられており、その上に、薬液ビン１１が載せられるようになっている。薬液ビン１１の周囲の空気は、前述のように、吸気管１３を通して脱臭装置に導かれ、脱臭された後に院外に排出される。
【００１３】
【発明の効果】
以上の説明から明らかなように、本発明により、歯科医院、病院等において使用される薬液の液臭を効果的に院外に排出させることができ、院内の空気環境を清潔に保つことができる。
【図面の簡単な説明】
【図１】本発明による薬臭脱臭装置の一実施例を説明するための要部構成図である。
【図２】本発明による薬臭脱臭装置を歯科治療ユニットのワークテーブルに取り付けた時の状態の一例を示す図である。
【図３】本発明が適用される一例としての歯科治療ユニットの概略全体構成を示す図である。
【符号の説明】
１…治療椅子、２…ワークテーブル、１１…薬液ビン、１２…薬液ビン載置用容器、１３…吸気管、１４…空気流量調整装置、１５…脱臭装置、１６…空気吸引装置（バキュームブロアー）。
【図１】
2004180813.tif 000003
【図２】
2004180813.tif 000004
【図３】
2004180813.tif 000005
(57)【要約】      （修正有）【課題】回転切刃より出てくる麺線の麺線間隔を如何にして均一に且つ連続的に適宜な麺線間隔に拡幅するか。【解決手段】回転切刃より出てくる麺線をゴム又は発条等の伸縮体上に受け、麺線を目的位置まで搬送しながら伸縮体を伸長させることにより、搬送中に麺線間隔を拡幅する。  この運動を簡易な装置を用いて連続的に行う。【効果】図１のような簡易装置で連続的に回転切刃より出てくる麺線の間隔を拡幅することが出来た。これにより、製麺工程以後の乾燥工程にて乾燥ムラを著しく改善する事が出来た。また、麺線同士が付着しやすい多加水麺も竿掛け乾燥できるようになった。【選択図】        図１
2004180521.tif 000002
【特許請求の範囲】
【請求項１】
麺線をゴム紐又はゴム帯又は発条等の伸縮体に載せ、伸縮体を伸長させることにより麺線間を拡幅する。
【請求項２】
麺線をゴム紐又はゴム帯又は発条等の伸縮体に載せ、伸縮体を収縮させることにより麺線間を縮幅する。
【請求項３】
入口より出口が広い様に配置した無端ローラチェン又は無端ベルト等よりなる無端回動機複数台の間にゴム紐又はゴム帯又は発条等の伸縮体を回動方向に対して２５度から１５５度の角度に渡して無端回動機の無端ローラチェン又は無端ベルト等に取り付け、これを無端回動させることにより連続的に伸縮体を伸長させ、その伸長により、伸縮体上に供給される麺線の麺線間隔を連続的に拡幅する。
【請求項４】
出口より入口が広い様に配置した無端ローラチェン又は無端ベルト等よりなる無端回動機複数台の間にゴム紐又はゴム帯又は発条等の伸縮体を回動方向に対して５度から１７５度の角度に渡して無端回動機の無端ローラチェン又は無端ベルト等に取り付け、これを無端回動させることにより連続的に伸縮体を収縮させ、その収縮により、伸縮体上に供給される麺線の麺線間隔を連続的に縮幅する。
【発明の詳細な説明】
【０００１】
【発明が属する技術分野】
本発明は簡易な装置を用いて製麺工程又は麺乾燥工程又は包装工程において連続的に適宜で均一な麺線間隔を作るものである。
【０００２】
【従来の技術】
現在、乾燥麺、半生麺の回転切刃による切出し、竿掛けする際、次のような方法が用いられている。
麺帯を回転切刃にて製麺する。  製麺された麺線を回転切刃下方にて竿掛けし、乾燥工程に入る。少し進歩した形態として麺線が竿掛けされる際に円弧状案内板を用いて麺線の掛け幅を麺帯幅より広げようとする装置がある。
【０００３】
【発明が解決しようとする課題】
回転切刃より出てくる麺線をそのまま竿に掛けて乾燥した場合、麺線間に隙間が無いため、乾燥ムラが発生する。  また、多加水麺の場合は麺線同士が付着して板状の塊となる。  これらを防ぐために、簡易な方法を用いて回転切刃により製麺された麺線の間隔を均一に目的幅になるように連続的に拡幅する。
【０００４】
【課題を解決するための手段】
回転切刃下方に麺線が掛かるように回転切刃軸方向と平行に伸縮体を配置する。  回転切刃より垂下してきた麺線を伸縮体に載せて水平、且つ、平面的に回転切刃軸と直交方向へ伸縮体を運動させながら伸長させる。  この運動を連続的に行う。  これにより、回転切刃より出た麺線は伸縮体上にて伸縮体の伸長により連続的に麺線間が均一に拡幅される。  そして、麺線間隔が拡幅された麺線を垂下させて竿掛けを行う。
【０００５】
【実施例】
図１は、本発明実施例における麺線間拡幅機平面図である。  図２は本発明実施例における麺線間拡幅機側面図である。  図３は本発明実施例における麺線間拡幅機平面機構図である。
【０００６】
図３及び図１より。  ＭＴは回動用減速機付き電動機である。  ＭＴより発生する回転動力はシャフトＳＨ２によりスプロケットＳ２を回転させる。  更に、回転動力は等速ユニバーサルジョイントＵＪを経てＳＨ１に伝えられＳ１を回転させる。  スプロケットＳ３，Ｓ４はシャフトＳＨ３，ＳＨ４により外側に片受けされた自由従動スプロケットである。  Ｃ１、Ｃ２はアタッチ付きローラチェンであり、アタッチ部分に輪ゴムＲＢを掛けられるようにしてある。  アタッチ付きローラチェンＣ１，Ｃ２は同一長無端である。Ｃ１はスプロケットＳ１，Ｓ３に掛けられている。  Ｃ２はスプロケットＳ２，Ｓ４に掛けられている。
Ｓ１，Ｓ２の回転運動によりＣ１，Ｃ２はＭ１に示す方向へ等速無端回動する。
この回動により本装置上面において輪ゴムＲＢはＭ４に示す方向へ伸長する。
Ｍ４に示す方向への麺線間拡幅比はＣ１とＣ２の開角θを変えることにより変更することができる。  麺線間拡幅比は麺線進入点ＥＮにおける輪ゴムＲＢ幅ＷＥＮと、麺線排出点ＥＸにおける輪ゴムＲＢ幅ＷＥＸの比とほぼ等しい。
【０００７】
図１及び図２より。  回転切刃ＫＫより切出された麺線はＭ１１に示す方向に垂下し、麺線進入点ＥＮの輪ゴムＲＢ上に達する。  輪ゴムＲＢのＭ１に示す方向への無端回動周速は回転切刃より出てくる麺線速度と等しい速度にされている。  麺線進入点ＥＮに達した麺線は輪ゴムＲＢに直交して載りＭ１に示す方向へ移動する。  このとき、同時に輪ゴムＲＢはＭ４に示す方向にも伸長している。
この伸長により、輪ゴムＲＢ上の麺線間隔は拡幅されていく。  麺線排出点ＥＸに達した麺線は麺線排出点ＥＸにおける麺線間隔を保ったままＭ１３に示す方向へ垂下する。  この垂下してくる麺線を常法に従い竿に掛けていく。
【０００８】
【発明の効果】
本発明により、簡易な装置で容易に回転切刃より出てくる麺線を連続的、且つ適宜で均一な麺線間隔に広げることが出来る。  このことにより、竿掛け後、麺線の乾燥ムラを著しく改善することが出来る。  また、従来では竿掛け後に面線同士が付着することにより竿掛け乾燥できなかったような多加水麺を竿掛け乾燥することが出来る。
【図面の簡単な説明】
【図１】本発明実施例  麺線間拡幅機平面図
【図２】本発明実施例  麺線間拡幅機側面図
【図３】本発明  麺線間拡幅機機構平面図
【符号の説明】
ＭＴ      減速機付き電動機
Ｓ１      主動用スプロケット
Ｓ２      主動用スプロケット
Ｓ３      自由従動用スプロケット
Ｓ４      自由従動用スプロケット
ＳＨ１    主動用シャフト
ＳＨ２    主動用シャフト
ＳＨ３    自由従動用シャフト
ＳＨ４    自由従動用シャフト
ＵＪ      等速ユニバーサルジョイント
Ｃ１        アタッチ付きローラーチェン
Ｃ２        アタッチ付きローラーチェン
ＲＢ      輪ゴム
ＫＫ      回転切刃
ＥＮ      麺線進入点
ＥＸ      麺線排出点
ＷＥＮ    進入点輪ゴム幅
ＷＥＸ    排出点輪ゴム幅
Ｍ１      無端回動機上面における輪ゴム回動方向
Ｍ２      無端回動機下面における輪ゴム回動方向
Ｍ４      無端回動機上面における輪ゴム伸長方向
Ｍ１１    回転切刃よりの麺線進入方向
Ｍ１２    麺線間拡幅機上の麺線移動方向
Ｍ１３    麺線間拡幅機排出点よりの麺線移動方向
θ        麺線間拡幅機拡幅開角
【図１】
2004180521.tif 000003
【図２】
2004180521.tif 000004
【図３】
2004180521.tif 000005
(57)【要約】【課題】絶縁対策と熱対策を兼ね備えた小型化が容易なモータを提供する。【解決手段】高熱伝導性弾性体１８を絶縁キャップ１９と巻線１１ａの間に、高熱伝導性弾性体２０を絶縁キャップ１９とブラケット１５の間に配し、フレーム１７にブラケット１５を固定すると、高熱伝導性弾性体１８と高熱伝導性弾性体２０は押圧され変形するが、弾性体の反力により高熱伝導性弾性体１８と高熱伝導性弾性体２０は、それぞれ巻線１１ａ、絶縁キャップ１９、ブラケット１５に密着する。【選択図】  図１
2004180388.tif 000002
【特許請求の範囲】
【請求項１】
巻線を備えた固定子と、前記固定子の両端部に配置され軸受を介して回転子を回転自在に支持する金属製のブラケットと、前記固定子巻線の端部と前記ブラケット間に配設する絶縁キャップと、前記固定子巻線の端部とブラケット間に配設する高熱伝導性弾性体とを備え、前記高熱伝導性弾性体を少なくとも固定子巻線の端部と絶縁キャップ間に設け、前記固定子巻線とブラケットとにより押圧挟持して高熱伝導性弾性体を巻線端部に密着させたモータ。
【発明の詳細な説明】
【０００１】
【発明の属する技術分野】
本発明は産業用機器に使用される高出力モータの冷却構造に関するものである。
【０００２】
【従来の技術】
近年、産業用途のモータには小型、高性能化、低コスト化が要求され、回転子に高性能希土類磁石を使用し、固定子は分割コアによる巻線の高密度化による小型化が図られている。
【０００３】
一方、小型化の要求からモータには絶縁対策と熱対策が必要となっていた。特に、モータ巻線が発生する熱は、モータ性能に悪影響を及ぼすため、固定子コアに巻かれた巻線の端面部とベアリングを介して回転子を支持するブラケットとの間に高熱伝導性樹脂を充填して放熱していた（例えば、特許文献１参照）。
【０００４】
【特許文献１】
特開平５−３２８６８６号公報
【０００５】
【発明が解決しようとする課題】
しかしながら、産業用途のように特にモータ出力が大きいと発熱量も大きくなるため、樹脂製のブラケットが採用できなかった。このため、巻線端部とブラケットの間の絶縁距離を短縮できず、軸方向の小型化に課題があった。
【０００６】
作業性の面でも、熱伝導性樹脂の充填量が多いとはみ出し、少ないと十分に熱伝達が発揮されないという課題を有していた。
【０００７】
本発明は上記従来の問題点を解決するもので、絶縁対策と熱対策を兼ね備えた小型化が容易なモータを提供することを目的とする。
【０００８】
【課題を解決するための手段】
上記の課題を解決するために本発明は、巻線を備えた固定子と、前記固定子の両端部に配置され軸受を介して回転子を回転自在に支持する金属製のブラケットと、前記固定子巻線の端部と前記ブラケット間に配設する絶縁キャップと、前記固定子巻線の端部とブラケット間に配設する高熱伝導性弾性体とを備え、前記高熱伝導性弾性体を少なくとも固定子巻線の端部と絶縁キャップ間に設け、前記固定子巻線とブラケットとにより押圧挟持して高熱伝導性弾性体を巻線端部に密着させたモータである。
【０００９】
【発明の実施の形態】
上記課題を解決するために請求項１記載のモータは、巻線を備えた固定子と、前記固定子の両端部に配置され軸受を介して回転子を回転自在に支持する金属製のブラケットと、前記固定子巻線の端部と前記ブラケット間に配設する絶縁キャップと、前記固定子巻線の端部とブラケット間に配設する高熱伝導性弾性体とを備え、前記高熱伝導性弾性体を少なくとも固定子巻線の端部と絶縁キャップ間に設け、前記固定子巻線とブラケットとにより押圧挟持して高熱伝導性弾性体を巻線端部に密着させたもので、絶縁キャップで絶縁を確保するとともに、高熱伝導性弾性体を巻線に密着させ、巻線から発生した熱をブラケットに伝え放熱してモータの温度上昇を抑制できる。
【００１０】
【実施例】
以下、本発明の一実施例について図面を参照しながら説明する。
【００１１】
図１において、１１は巻線１１ａを備えた固定子、１２は回転子、１３、１４はベアリング、１５、１６はアルミ製のブラケット、１７は固定子を支持するフレーム、１９は絶縁キャップ、１８、２０は高熱伝導性弾性体である。
【００１２】
この絶縁キャップ１９は、巻線１１ａとブラケット１５を確実に絶縁するために設けたものであり、樹脂成形により作製したドーナツ形状のものが適する。ドーナツ形状の内および外は巻線側に折り返しておき、巻線１１ａの端部にはめ込めるような形状にすれば装着が容易となる。
【００１３】
この絶縁キャップ１９を設けることにより、巻線１１ａとブラケット１５の間の絶縁距離を必要以上に確保する必要がなくなり、軸方向にモータの小型化が可能となる。
【００１４】
一方、高熱伝導性弾性体１８の材質としては、シリコンゴムが適しており、あらかじめ巻線端部に沿うような形に形成しておく。このとき、高熱伝導性弾性体１８の厚みは巻線１１ａとブラケット１５の空隙寸法より少し大きくする。
【００１５】
この高熱伝導性弾性体１８を絶縁キャップ１９と巻線１１ａの端部間に必ず配設する。高熱伝導性弾性体２０は薄いシート状でよく、絶縁キャップ１９とブラケット１５間にも配設して、熱伝達をより確実なものにする。
【００１６】
フレーム１７にブラケット１５を固定すると高熱伝導性弾性体１８と高熱伝導性弾性体２０は押圧され変形するが、弾性体の反力により高熱伝導性弾性体１８と高熱伝導性弾性体２０は、それぞれ巻線１１ａ、絶縁キャップ１９、ブラケット１５に密着する。
【００１７】
これにより、巻線１１ａが発生する熱は、高熱伝導性弾性体１８、絶縁キャップ１９、高熱伝導性弾性体２０を経てブラケット１５に伝わり、ブラケット１５の外表面から大気中あるいは取り付けられた機器本体に発散される。
【００１８】
なお、同様の構成をブラケット１６側で構成しても良いが、機器への取り付け面板の役割をブラケット１５で兼ねる場合には、機器本体への熱の発散がより多く期待できるので、ブラケット１６側に高熱伝導性弾性体を設けることは必要ない。
【００１９】
【発明の効果】
上記の実施例から明らかなように本発明によれば、固定子巻線の端部とブラケット間に設けた絶縁キャップによりモータを軸方向に小型化できる。
【００２０】
また、固定子巻線の端部とブラケット間に設けた高熱伝導性弾性体により、放熱を促進でき温度上昇を抑制できる。
【００２１】
したがって、絶縁対策と熱対策を兼ね備えたモータを小型化できる。
【図面の簡単な説明】
【図１】本発明の一実施例におけるモータの断面図
【符号の説明】
１１  固定子
１１ａ  巻線
１５  ブラケット
１８、２０  高熱伝導性弾性体
１９  絶縁キャップ
【図１】
2004180388.tif 000003
(57)【要約】【課題】本発明は、容易に捕獲することができる飛翔性昆虫の捕獲方法を提供することを目的としている。【解決手段】飛翔性昆虫の捕獲方法は、エチルアルコ−ルを飛翔性昆虫に噴霧して前記飛翔性昆虫の飛行を妨げて、前記飛翔性昆虫を捕獲するものである。【特許請求の範囲】
【請求項１】
エチルアルコ−ルを飛翔性昆虫に噴霧して前記飛翔性昆虫の飛行を妨げて、前記飛翔性昆虫を捕獲することを特徴とする飛翔性昆虫の捕獲方法。
【請求項２】
エチルアルコ−ルをハエに噴霧して前記ハエの飛行を妨げて、前記ハエを捕獲することを特徴とするハエの捕獲方法。
【請求項３】
液体を飛翔性昆虫に噴霧して前記飛翔性昆虫の飛行を妨げて、前記飛翔性昆虫を捕獲するものであり、前記液体は、少なくとも、エチルアルコ−ルを含むことを特徴とする飛翔性昆虫の捕獲方法。
【発明の詳細な説明】
【０００１】
本発明は、飛翔性昆虫の捕獲方法及びハエの捕獲方法に係り、特に、容易に捕獲することができる飛翔性昆虫の捕獲方法及びハエの捕獲方法に関する。
【０００２】
【従来の技術】
飛翔性昆虫を駆除する場合、誘引灯と誘因剤により飛翔性昆虫を引き寄せ、高電圧により、捕虫・殺虫するもの（例えば、特許文献１参照）、また、殺虫有効成分を溶剤に溶かしたものを飛翔性昆虫に噴霧して捕虫・殺虫するもの（例えば、特許文献２参照）等がある。
【０００３】
【特許文献１】
特開２００２−１２５５６３号公報
【０００４】
【特許文献２】
特開平１１−３４９４０７号公報
【０００５】
【発明が解決しようとする課題】
しかしながら、特許文献１記載のものにあっては、誘引灯と誘因剤により飛翔性昆虫を引き寄せ、高電圧により、捕虫・殺虫できるものの、飛行している昆虫を直接狙って迅速に捕獲できないし、また、特許文献２記載のものにあっては、飛行している昆虫を直接狙って殺虫剤を噴霧して捕獲することはできても、周囲に殺虫剤が飛散するため、例えば、周囲に食品がある場合、該食品を避けて噴霧しなければならず、殺虫剤を噴霧する場所に制約を受けてしまうという問題点があった。
本発明者は、飛翔性昆虫の羽根は雨水等の水に対しては弾くが、エチルアルコ−ルに対しては弾くことができず、エチルアルコ−ルで濡れた重みのため、飛翔性昆虫の飛行が妨げられ、容易に飛翔性昆虫を捕獲することができることを見出して本発明に至ったものである。
【発明が解決しようとする課題】
本発明は、上述した問題点を考慮してなされたもので、容易に捕獲することができる飛翔性昆虫の捕獲方法及びハエの捕獲方法を提供するものである。
【０００６】
【課題を解決するための手段】
上記目的を達成するために、請求項１記載の飛翔性昆虫の捕獲方法は、エチルアルコ−ルを飛翔性昆虫に噴霧して前記飛翔性昆虫の飛行を妨げて、前記飛翔性昆虫を捕獲することができる。
【０００７】
また、請求項２記載のハエの捕獲方法は、エチルアルコ−ルをハエに噴霧して前記ハエの飛行を妨げて、前記ハエを捕獲することができる。
【０００８】
また、請求項３記載の飛翔性昆虫の捕獲方法は、液体を飛翔性昆虫に噴霧して前記飛翔性昆虫の飛行を妨げて、前記飛翔性昆虫を捕獲するものであり、前記液体は、少なくとも、エチルアルコ−ルを含むものである。
【０００９】
【実施例】
本発明の一実施例の飛翔性昆虫の捕獲方法及びハエの捕獲方法について、以下説明する。
スプレ付きの容器（図示せず）に水で希釈したエチルアルコ−ルを入れ、飛翔性昆虫、例えば、飛行又は止っているハエを直接狙って該ハエに向けてエチルアルコ−ルを噴霧する。水での希釈の割合は適宜調整されるものであるが、例えば、エチルアルコ−ル７０重量％に対して水３０重量％である。
飛行又は止っているハエにエチルアルコ−ルを噴霧すると、ハエの羽根は雨水等の水に対しては弾くが、エチルアルコ−ルに対しては弾くことができず、濡れた重みのため、ハエの飛行が妨げられ、容易にハエを捕獲することができた。
しかも、エチルアルコ−ルがハエの周囲に飛散するが揮発し、また、エチルアルコ−ルは、食品添加物として認められているように、有害でないため、人が吸引しても殺虫剤のような害もなく、特に、食品工場内に飛来したハエを捕獲する場合、特に有効で、更に、生きたまま捕獲することができる。
【００１０】
なお、飛翔性昆虫は、ハエの他に、例えば、蝶バエ、蚊、蝶、蛾、セミ、トンボ等にも同様に適用できるものである。
また、上述した実施例においては、エチルアルコ−ルを水で希釈したものを飛翔性昆虫に噴霧して前記飛翔性昆虫の飛行を妨げて、前記飛翔性昆虫を捕獲しているが、場合により、エチルアルコ−ルを水で希釈したものに、殺菌剤等の他の物質を含ませても良く、要は、液体を飛翔性昆虫に噴霧して前記飛翔性昆虫の飛行を妨げて、前記飛翔性昆虫を捕獲するものであって、前記液体は、少なくとも、エチルアルコ−ルを含むものであれば良い。
【００１１】
【発明の効果】
以上述べたように、請求項１記載の飛翔性昆虫の捕獲方法によれば、エチルアルコ−ルを飛翔性昆虫に噴霧すると、飛翔性昆虫の羽根は雨水等の水に対しては弾くが、エチルアルコ−ルに対しては弾くことができず、濡れた重みのため、飛翔性昆虫の飛行が妨げられ、容易に飛翔性昆虫を捕獲することができ、しかも、エチルアルコ−ルが飛翔性昆虫の周囲に飛散しても、エチルアルコ−ルは、食品添加物として認められているように、有害ではないため、人が吸引しても殺虫剤のような害もなく、特に、食品工場内に飛来した飛翔性昆虫を捕獲する場合、特に有効である。
【００１２】
また、請求項２記載のハエの捕獲方法によれば、エチルアルコ−ルをハエに噴霧すると、ハエの羽根は雨水等の水に対しては弾くが、エチルアルコ−ルに対しては弾くことができず、濡れた重みのため、ハエの飛行が妨げられ、容易にハエを捕獲することができ、しかも、エチルアルコ−ルがハエの周囲に飛散しても、エチルアルコ−ルは、食品添加物として認められているように、有害ではないため、人が吸引しても殺虫剤のような害もなく、特に、食品工場内に飛来したハエを捕獲する場合、特に有効である。